(57)【要約】【課題】  走行予定経路や走行する可能性が高いと思われる道路をより長く表示させる。【解決手段】  走行予定経路を記憶する記憶手段と、現在位置を検出する現在位置検出手段と、長方形の表示画面と、前記走行予定経路と前記現在位置を前記表示画面に表示する制御手段と、前記表示画面を縦長と横長に切り替える切替手段とを備えたナビゲーション装置において、  前記表示制御手段は、未走行の前記走行予定経路あるいは走行中の道路名の道路がより長く表示できるよう縦長と横長を選択して前記切替手段を制御する。【選択図】        図８
2005121395.tif 000002
【特許請求の範囲】
【請求項１】
地図を記憶する記憶手段と、現在位置を検出する現在位置検出手段と、長方形の表示画面と、前記地図と前記現在位置を前記表示画面に表示する制御手段と、前記表示画面を縦長と横長に切り替える切替手段とを備え、装置の進行方向を上向きに固定する進行上モードと北を上向きに固定する北上モードを有するナビゲーション装置において、
前記表示制御手段は、進行上モードのときは前記表示画面が縦長になるように前記切替手段を制御し、北上モードのときは進行方向がより遠くまで表示できるよう縦長と横長を選択して前記切替手段を制御することを特徴とするナビゲーション装置。
【請求項２】
地図を記憶する記憶手段と、現在位置を検出する現在位置検出手段と、長方形の表示画面と、前記地図と前記現在位置を前記表示画面に表示する制御手段と、前記表示画面を縦長と横長に切り替える切替手段とを備えたナビゲーション装置において、
前記表示制御手段は、走行中の道路名の道路がより長く表示できるよう縦長と横長を選択して前記切替手段を制御することを特徴とするナビゲーション装置。
【請求項３】
走行予定経路を記憶する記憶手段と、現在位置を検出する現在位置検出手段と、長方形の表示画面と、前記走行予定経路と前記現在位置を前記表示画面に表示する制御手段と、前記表示画面を縦長と横長に切り替える切替手段とを備えたナビゲーション装置において、
前記表示制御手段は、曲がるべき予定の交差点の数がより多く表示できるよう縦長と横長を選択して前記切替手段を制御することを特徴とするナビゲーション装置。
【請求項４】
走行予定経路を記憶する記憶手段と、現在位置を検出する現在位置検出手段と、長方形の表示画面と、前記走行予定経路と前記現在位置を前記表示画面に表示する制御手段と、前記表示画面を縦長と横長に切り替える切替手段とを備えたナビゲーション装置において、
前記表示制御手段は、未走行の前記走行予定経路がより長く表示できるよう縦長と横長を選択して前記切替手段を制御することを特徴とするナビゲーション装置。
【発明の詳細な説明】
【技術分野】
【０００１】
表示画面を縦長と横長に切り替えることが可能なナビゲーション装置に関する。
【背景技術】
【０００２】
現在市販されているナビゲーションの多くはテレビジョンの表示も兼ねている。そのために、表示画面は横長になっている。そして、ナビゲーションの表示は通常、進行方向を上に固定し、地図がこれに合わせて回転する。このとき、表示画面が横長になっているために進行方向の表示距離は短いという問題があった。
【０００３】
そこで、表示画面を回転可能にして、テレビジョンのときは横長にし、ナビゲーションのときは縦長にすることが考えられた（例えば、特許文献１参照）。
【特許文献１】特開平１０−３８５８９号公報（第２頁、図２）
【発明の開示】
【発明が解決しようとする課題】
【０００４】
しかしながら、ナビゲーションのとき、無条件で縦長にすると種々の問題があった。一つはナビゲーションの表示モードとして、北を上向に固定する北上モードがある。この北上モードでは進行方向が変化するので、この対応が要望された。一つは道路が真っ直ぐな一本道でないときの対応が無かった。例えば、交差点で走行中の国道１２３号線が右折するときは右方を広く表示させたい。一つは走行予定経路の対応が無かった。例えば、左方に曲がるべき交差点が複数近接している場合は左方を広く表示させたい。これら上記の問題解決方法は特許文献１には開示されていない。
【課題を解決するための手段】
【０００５】
本発明のナビゲーション装置はかかる点に鑑みなされたもので、装置の進行方向を上向きに固定する進行上モードと北を上向きに固定する北上モードを有し、進行上モードのときは表示画面が縦長になるように切替手段を制御し、北上モードのときは進行方向がより遠くまで表示できるよう縦長と横長を選択して切替手段を制御する表示制御手段を備える。
【０００６】
また、前記表示制御手段は、走行中の道路名の道路がより長く表示できるよう縦長と横長を選択して前記切替手段を制御する。
【０００７】
また、前記表示制御手段は、曲がるべき予定の交差点の数がより多く表示できるよう縦長と横長を選択して前記切替手段を制御する。
【０００８】
また、前記表示制御手段は、未走行の前記走行予定経路がより長く表示できるよう縦長と横長を選択して前記切替手段を制御する。
【発明の効果】
【０００９】
本願発明は、北を上向きに固定する北上モードのときは進行方向がより遠くまで表示できるように表示画面の縦長と横長を切り替える。このように北上モードに対応することができる。
【００１０】
本願発明は、走行中の道路名の道路がより長く表示できるように縦長と横長を切り替える。これにより、走行する可能性が高いと思われる道路をより長く表示させる。
【００１１】
本願発明は、順次曲がるべき予定の交差点の数がより多く表示できるように縦長と横長を切り替える。これにより、曲がるべき予定の交差点をより多く報知することができる。
【００１２】
本願発明は、未走行の走行予定経路がより長く表示できるように縦長と横長を切り替える。これにより、走行予定経路がカーブしていても走行予定経路をより長く表示することができる。
【発明を実施するための最良の形態】
【００１３】
本発明の実施の形態を、表示部を回転可能なナビゲーション装置を例に説明する。
【実施例１】
【００１４】
本発明の第１の実施例を図面に基づき説明する。図１は第１の実施例の要部の構成を示すブロック図である。（１）は制御回路であり、ＲＯＭ（２）に書き込まれたプログラムに基づいて表示を行わせる。（３）はＲＡＭであり、制御回路（１）の動作に必要な情報を記憶する。（４）はＧＰＳ（Ｇｌｏｂａｌ  Ｐｏｓｉｔｉｏｎｉｎｇ  Ｓｙｓｔｅｍ）測位手段であり、ＧＰＳ衛星からの電波を受信して現在位置を測定し、測定データを制御回路（１）に出力する。（５）はＤＶＤ再生装置であり、複数の尺度の地図情報が書き込まれているＤＶＤから地図情報を読み取る。（６）は液晶の表示部であり、地図や走行予定経路や現在位置を制御回路（１）の制御に基づき表示する。表示部（６）の表示画面は縦の寸法と横の寸法が異なる長方形であり、回転可能に保持される。（７）は制御回路（１）の制御に基づき表示部（６）を回転させる表示部回転手段である。（８）は使用者が操作を行う入力部である。（９）は音声報知手段である。
【００１５】
表示部（６）には、制御回路（１）の制御に基づき地図が表示され、この地図に重ねてＧＰＳ測位手段（４）の測位データから求められた現在位置が表示される。また、目的地までの経路案内が設定されている場合は、ＲＡＭ（３）に記憶される走行予定経路が表示部（６）に表示される。そして、例えば、音声報知手段（９）により「約１００ｍ先右に曲がります。」と音声を発するなどの経路案内を報知する。
【００１６】
表示モードとして、進行方向を上向きに固定する進行上モードと北を上向きに固定する北上モードを有する。このモードの選択は使用者の操作により設定される。
【００１７】
表示部（６）は、制御回路（１）の制御に基づき、所定の条件で自動的に回転させることができるし、入力部（８）の回転キーにより手動で回転させることも可能である。回転角度は任意の角度に保持することは可能であるが、ここでは、表示画面の保持角度は横長（図２参照）と縦長（図３参照）の２種類である。
【００１８】
次に自動的に回転させる方法を説明する。図４は制御回路（１）の動作を示すフローチャートである。図５は表示画面の向きと表示内容を示す図である。
【００１９】
制御回路（１）は、表示モードが進行上モードのときは（ステップＳ１１のＮ）、表示部を縦長にする（ステップＳ１４）。
【００２０】
表示モードが北上モードのときは（ステップＳ１１のＹ）、進行方向がより遠くまで表示することができるよう表示画面の向きを選択する（ステップＳ１２〜Ｓ１４）。図５に示す画面では、道路がカーブしており、進行方向は現在位置における接線である。横長の場合に表示される進行方向の長さは現在位置から地点Ａまでとなり、縦長の場合は現在位置から地点Ｂまでとなる。従って、横長の方がより遠くまで進行方向を表示することができるので、制御回路（１）は横長となるように表示部（６）を回転制御する。
【００２１】
これにより、進行方向が変化する北上モードに対応することができる。
【実施例２】
【００２２】
次に第２の実施例を説明する。第２の実施例は第１の実施例と制御回路（１）の動作が異なる。図６は制御回路（１）の動作を示すフローチャートである。図７は表示画面の向きと表示内容を示す図である。
【００２３】
制御回路（１）の回転制御は経路案内のときに行われる（ステップＳ２１）。制御回路（１）は、未通過の曲がるべき予定の交差点の数がより多く表示できるよう表示画面の向きを選択する（ステップＳ２２〜Ｓ２４）。図７に示す画面では、横長の場合に表示される曲がるべき予定の交差点の数は２となり、縦長の場合に表示される曲がるべき予定の交差点の数は１となる。従って、横長の方が曲がるべき予定の交差点の数をより多く表示することができるので、制御回路（１）は横長となるように表示部（６）を回転制御する。
【００２４】
これにより、曲がるべき予定の交差点をより多く報知することができる。
【実施例３】
【００２５】
次に第３の実施例を説明する。第３の実施例は第１の実施例と制御回路（１）の動作が異なる。図８は制御回路（１）の動作を示すフローチャートである。図９は経路案内のときの表示画面の向きと表示内容を示す図であり、図１０は経路案内でないときの表示画面の向きと表示内容を示す図である。
【００２６】
制御回路（１）は、経路案内のときに（ステップＳ３１のＹ）、未走行の走行予定経路がより長い距離表示できるよう表示画面の向きを選択する（ステップＳ３２，Ｓ３４〜Ｓ３６）。図９では曲がるべき予定の交差点の数は縦長／横長同じである。しかしながら、縦長の方が未走行の走行予定経路をより長い距離表示できるので、制御回路（１）は縦長となるように表示部（６）を回転制御する。
【００２７】
これにより、走行予定経路がカーブしていても走行予定経路をより長く表示することができる。
【００２８】
制御回路（１）は、経路案内でないときに（ステップＳ３１のＮ）、走行中の道路名の道路がより長い距離表示できるよう表示画面の向きを選択する（ステップＳ３３〜Ｓ３６）。図１０では現在国道１２３号線を走行しており、国道１２３号線は右折になっている。この図では横長の方が走行中の道路名の道路をより長い距離表示できるので、制御回路（１）は横長となるように表示部（６）を回転制御する。
【００２９】
これにより、走行する可能性が高いと思われる道路をより長く表示させる。
【図面の簡単な説明】
【００３０】
【図１】本発明の要部の構成を示すブロック図である。
【図２】表示画面の横長を示す図である。
【図３】表示画面の縦長を示す図である。
【図４】本発明の第１の実施例を示すフローチャートである。
【図５】第１の実施例の表示画面の向きを示す図である。
【図６】本発明の第２の実施例を示すフローチャートである。
【図７】第２の実施例の表示画面の向きを示す図である。
【図８】本発明の第３の実施例を示すフローチャートである。
【図９】第３の実施例の経路案内のときの表示画面の向きを示す図である。
【図１０】第３の実施例の経路案内でないときの表示画面の向きを示す図である。
【符号の説明】
【００３１】
１    制御回路
３    ＲＡＭ
４    ＧＰＳ測位手段
６    表示部
６１  表示画面
７    表示部回転手段
【図１】
2005121395.tif 000003
【図２】
2005121395.tif 000004
【図３】
2005121395.tif 000005
【図４】
2005121395.tif 000006
【図５】
2005121395.tif 000007
【図６】
2005121395.tif 000008
【図７】
2005121395.tif 000009
【図８】
2005121395.tif 000010
【図９】
2005121395.tif 000011
【図１０】
2005121395.tif 000012